(57)【要約】【課題】発光ダイオード等の光源から光を放射することによって道路上や海上等において情報を表示したり注意を喚起したりする燈体のコストを削減する。【解決手段】適宜角度を存して放射状に配した複数の基板７に発光ダイオード８を設けて３６０度の全方向から視認できるようにした燈体１ａにおいて、前記各基板７には、該各基板７に開設され、基板７の表裏両側から視認できるよう発光ダイオード８が設けられる切欠き部１４が設けられたものであり、該切欠き部１４からは、隣接する基板７に開設の切欠き部１４に設けた発光ダイオード８の光が視認できるように構成した。【選択図】図３
2015015121.tif 000002
【特許請求の範囲】
【請求項１】
基板に設けられた発光ダイオードの光が３６０度の全方向から視認できるようにした燈体において、前記基板は、基板の表裏両側から発光ダイオードの光が視認できるよう切欠き部が設けられた枠形状になっていることを特徴とする燈体。
【請求項２】
発光ダイオードには、光を発する発光部が基板の表裏を跨ぐようにして切欠き部に配されたものがあることを特徴とする請求項１記載の燈体。
【請求項３】
発光ダイオードには、光を発する発光部が基板の表裏の少なくとも一方に突出する状態で配されたものがあることを特徴とする請求項１または２記載の燈体。
【請求項４】
発光ダイオードは、発光部の先端が擂り鉢状に形成された指向性の少ない配向特性を有したものであることを特徴とする請求項１乃至３の何れか１記載の燈体。
【請求項５】
発光ダイオードは複数あり、少なくとも異なる二方向に向けて光を発するよう基板に設けられていることを特徴とする請求項１乃至４の何れか１記載の燈体。
【請求項６】
基板は、四周枠を構成する外枠体と、該外枠体を掛渡すようにして設けられる中枠体とからなる矩形状の板体であって、切欠き部は、該外枠体と中枠体、或いは中枠体同士で囲繞される空間部として構成されることを特徴とする請求項１乃至５の何れか１記載の燈体。
【請求項７】
基板は、四周枠を構成する外枠体のみからなる矩形状の板体であって、切欠き部は、該外枠体によって囲繞される空間部であることを特徴とする請求項１乃至５の何れか１記載の燈体。
【請求項８】
基板は、上下方向に長い支持枠体と、該支持枠体から左右方向少なくとも一方に延出する枝枠体とで形成される板体であって、切欠き部は、該支持枠体と枝枠体、或いは枝枠体と枝枠体とのあいだに形成される空間部であることを特徴とする請求項１乃至５の何れか１記載の燈体。
【請求項９】
基板は、少なくとも２枚あり、各基板は所定角度を存して放射状に配されていることを特徴とする請求項１乃至８の何れか１記載の燈体。
【請求項１０】
基板は、枠体に嵌合孔が形成されたものであり、該嵌合孔同士を嵌め合わせることで連結されることを特徴とする請求項９記載の燈体。
【請求項１１】
基板は、筒体であることを特徴とする請求項１乃至５の何れか１記載の燈体。
【請求項１２】
基板は、円筒体であることを特徴とする請求項１１記載の燈体。
【請求項１３】
基板は、角筒体であることを特徴とする請求項１１記載の燈体。
【請求項１４】
基板は、錘体であることを特徴とする請求項１乃至５の何れか１記載の燈体。
【請求項１５】
基板は截頭錘体であることを特徴とする請求項１４記載の燈体。
【請求項１６】
基板に発光ダイオードを設けて３６０度の全方向から視認できるようにした燈体が組み込まれた発光式標識装置において、前記基板は、基板の表裏両側から発光ダイオードの光が視認できるよう切欠き部が設けられた枠形状になっていることを特徴とする発光式標識装置。
【発明の詳細な説明】
【技術分野】
【０００１】
本発明は、発光ダイオード等の光源から光を放射することによって道路上や海上等において情報を表示したり注意を喚起したりする燈体および発光式標識装置に関するものである。
【背景技術】
【０００２】
一般に、道路上に設置される交通標識や海上における船舶の誘導灯等の燈体や該燈体が組み込まれた発光式標識装置のなかには、３６０度の全方向から視認されることが必要とされる場合があり、このような全方向からの視認性を実現したものとしては、特許文献１、２に示されるように、周回り方向に所定角度を存して複数枚のＬＥＤ基板を配設し、該各ＬＥＤ基板の表裏面にそれぞれ発光ダイオードを設けて、発光ダイオードの光が全方向から殆ど同じように視認できるようにしたものがある。
【先行技術文献】
【特許文献】
【０００３】
【特許文献１】特許第４３１３７００号公報
【特許文献２】特開２０１３−１０４０５号公報
【発明の概要】
【発明が解決しようとする課題】
【０００４】
しかしながら前記従来のものは、ＬＥＤ基板の表裏両面に複数の発光ダイオードが取り付けられるため、部品点数が多くなって生産性が劣るうえ、多数の発光ダイオードを点灯させるため、それだけ消費電力が大きいものとなる結果、太陽電池による発電では足りず商用電源を併用するか全てを商用電源で賄う必要があって、省エネルギー化に反するものである。また、商用電源が得られないような場所では使用できないがためにどうしても設置場所が限られてしまい、これらに本発明の解決すべき課題がある。
【課題を解決するための手段】
【０００５】
本発明は、上記の如き実情に鑑みこれらの課題を解決することを目的として創作されたものであって、請求項１の発明は、基板に設けられた発光ダイオードの光が３６０度の全方向から視認できるようにした燈体において、前記基板は、基板の表裏両側から発光ダイオードの光が視認できるよう切欠き部が設けられた枠形状になっていることを特徴とする燈体である。
請求項２の発明は、発光ダイオードには、光を発する発光部が基板の表裏を跨ぐようにして切欠き部に配されたものがあることを特徴とする請求項１記載の燈体である。
請求項３の発明は、発光ダイオードには、光を発する発光部が基板の表裏の少なくとも一方に突出する状態で配されたものがあることを特徴とする請求項１または２記載の燈体である。
請求項４の発明は、発光ダイオードは、発光部の先端が擂り鉢状に形成された指向性の少ない配向特性を有したものであることを特徴とする請求項１乃至３の何れか１記載の燈体である。
請求項５の発明は、発光ダイオードは複数あり、少なくとも異なる二方向に向けて光を発するよう基板に設けられていることを特徴とする請求項１乃至４の何れか１記載の燈体である。
請求項６の発明は、基板は、四周枠を構成する外枠体と、該外枠体を掛渡すようにして設けられる中枠体とからなる矩形状の板体であって、切欠き部は、該外枠体と中枠体、或いは中枠体同士で囲繞される空間部として構成されることを特徴とする請求項１乃至５の何れか１記載の燈体である。
請求項７の発明は、基板は、四周枠を構成する外枠体のみからなる矩形状の板体であって、切欠き部は、該外枠体によって囲繞される空間部であることを特徴とする請求項１乃至５の何れか１記載の燈体である。
請求項８の発明は、基板は、上下方向に長い支持枠体と、該支持枠体から左右方向少なくとも一方に延出する枝枠体とで形成される板体であって、切欠き部は、該支持枠体と枝枠体、或いは枝枠体と枝枠体とのあいだに形成される空間部であることを特徴とする請求項１乃至５の何れか１記載の燈体である。
請求項９の発明は、基板は、少なくとも２枚あり、各基板は所定角度を存して放射状に配されていることを特徴とする請求項１乃至８の何れか１記載の燈体である。
請求項１０の発明は、基板は、枠体に嵌合孔が形成されたものであり、該嵌合孔同士を嵌め合わせることで連結されることを特徴とする請求項９記載の燈体である。
請求項１１の発明は、基板は、筒体であることを特徴とする請求項１乃至５の何れか１記載の燈体である。
請求項１２の発明は、基板は、円筒体であることを特徴とする請求項１１記載の燈体である。
請求項１３の発明は、基板は、角筒体であることを特徴とする請求項１１記載の燈体である。
請求項１４の発明は、基板は、錘体であることを特徴とする請求項１乃至５の何れか１記載の燈体である。
請求項１５の発明は、基板は截頭錘体であることを特徴とする請求項１４記載の燈体である。
請求項１６の発明は、基板に発光ダイオードを設けて３６０度の全方向から視認できるようにした燈体が組み込まれた発光式標識装置において、前記基板は、基板の表裏両側から発光ダイオードの光が視認できるよう切欠き部が設けられた枠形状になっていることを特徴とする発光式標識装置である。
【発明の効果】
【０００６】
請求項１の発明とすることにより、基板に開設される切り欠き部によって発光ダイオードの光は基板の表裏両側から視認されることになって、従来のもののように基板の表裏それぞれの面に発光ダイオードを設けた燈体と比べて、少ない数の発光ダイオードで多数の発光ダイオードが設けられたものと同様に視認性ある燈体とすることが出来る。従って、３６０度の全方向から視認できるよう基板に発光ダイオードを配した燈体でありながら、該発光ダイオードの取付け個数を従来よりも少なくすることができるため、コスト削減を図ることが出来ると共に、発光ダイオードの取付け個数を減少させることで、消費電力量を減らすことが出来て、この点においてもコスト削減を図ることが出来る。さらに発光ダイオードの取付け個数を減らした分だけ消費電力を少なくすることが出来るため、商用電源だけではなく太陽電池等を用いた小電力発電装置によっても使用電力を賄うことが出来ることになって、商用電源を得ることが困難な場所においても使用電力を賄うことが可能となり、設置場所を選ばない汎用性の高い燈体とすることが出来る。
請求項２の発明とすることにより、発光ダイオードの発光部から発せられる光を基板の表裏両面から視認することが出来る。
請求項３の発明とすることにより、基板の板端面側から燈体を見た場合にも発光ダイオードの発光部から発せられる光を視認することが出来て、一層全方向からの視認性を確保できる。
請求項４の発明とすることにより、発光ダイオードの光を広範囲にムラなく放射させることが出来て、さらに視認性の良い燈体とすることが出来る。
請求項５の発明とすることにより、発光ダイオードの光を全方向に均等に発せられることが出来て、どの方向から見ても視認性の良い燈体とすることが出来る。
請求項６の発明とすることにより、発光ダイオードを基板全体に偏りなく配設することが出来て、視認した際に光ムラのない燈体とすることが出来る。
請求項７の発明とすることにより、基板上の切欠きを大きく形成することができるため、発光ダイオードから放射される光が基板によって妨げられることが少ない燈体とすることが出来る。
請求項８の発明とすることにより、基板は、外枠がないものに形成されるため、発光ダイオードから放射される光が基板の外枠によって遮られることがなくなって視認性の良い燈体とすることが出来る。また、基板の形状は燈体の形状に合わせて適宜変更し易いものとなって、燈体の設計の自由度を高めることができる。
請求項９の発明とすることにより、発光ダイオードの光がどの方向からも均等に視認される燈体とすることができる。
請求項１０の発明とすることにより、基板を簡単に組み付けることの出来る燈体とすることが出来る。
請求項１１乃至請求項１３の発明とすることにより、発光ダイオードの光がどの方向からも均等に視認される燈体とすることができる。また、発光ダイオードを基板の外面に沿わせて配設することが出来るため、基板が外部から視認されにくい意匠性の高い燈体とすることが出来る。
請求項１４及び請求項１５の発明とすることにより、頭部に向けて先細り状に光を発する燈体とすることが出来て、これを視認した際に安定感を感じさせることが出来ると共に、意匠性にも優れた燈体とすることが出来る。
請求項１６の発明とすることにより、全方向から視認することが出来る燈体が取り付けられた発光式標識装置でありながら、該燈体は発光ダイオードの取付け個数が従来よりも少ないものとすることができるため、発光式標識装置のコスト削減を図ることが出来る。また、発光ダイオードの取付け個数を減少させることで消費電力量を減らすことが出来るため、この点においてもコスト削減が図られ、省エネルギー化にも貢献する発光式標識装置とすることが出来る。そして、燈体の消費電力を削減させたことによって、商用電源だけではなく太陽電池等を用いた小電力発電装置によっても使用電力を賄うことができるため、商用電源が得られないような場所であっても設置が可能な発光式標識装置とすることが出来る。
【図面の簡単な説明】
【０００７】
【図１】（Ａ）、（Ｂ）は、それぞれ発光式標識装置の斜視図及び正面一部断面図である。
【図２】発光式標識装置の分解図である。
【図３】燈体の拡大図である。
【図４】（Ａ）、（Ｂ）は、それぞれ発光体カバーの正面断面図、底面図である。
【図５】（Ａ）、（Ｂ）は、それぞれ第一の実施の形態における基板を示す正面図及び右側面図である。
【図６】第一の実施の形態における基板を嵌め合わせる様子を示す作用説明図である。
【図７】第一の実施の形態における基板が嵌め合わされた状態を示す斜視図である。
【図８】（Ａ）、（Ｂ）は、それぞれ第二の実施の形態における基板および発光ダイオードを示す正面図、右側面図である。
【図９】第三の実施の形態における基板を嵌め合わせる様子を示す作用説明図である。
【図１０】第四の実施の形態における基板および発光ダイオードを示す正面図である。
【図１１】第五の実施の形態における基板及び発光ダイオードを示す正面図である。
【図１２】第六の実施の形態における基板及び発光ダイオードを示す正面図である。
【図１３】第七の実施の形態における基板の配設された状態を示す斜視図である。
【図１４】第八の実施の形態における基板に配設された状態を示す斜視図である。
【図１５】第九の実施の形態における支軸に形成される挿通溝に基板が配される様子を示す説明図である。
【図１６】第十の実施の形態における異色の発光ダイオードが配設された状態を示す斜視図である。
【図１７】（Ａ）、（Ｂ）は、それぞれ第十一、第十二の実施の形態における四角筒状基板、円筒状基板の斜視図である。
【図１８】（Ａ）、（Ｂ）は、それぞれ第十三、第十四の実施の形態における四角錘体基板、截頭四角錘体基板の斜視図である。
【発明を実施するための形態】
【０００８】
以下、本発明の実施の形態について、図面に基づいて説明する。
図中、１は、例えば路上等に立設される燈体１ａが組み込まれた発光式標識装置であって、該発光式標識装置１は、円筒形状をした支柱２の上端部に同じく円筒形状の下部ホルダー３が下半部を外嵌させた状態で取り付けられ、該下部ホルダー３の上半部に有天有底円筒形状のケーシング４が下端部を内嵌させた状態で取り付けられ、そして該ケーシング４の上部に有天筒状の上部ホルダー５が外嵌し、該上部ホルダー５の上面５ａには、透明樹脂材からなる有天円筒状の発光体カバー６が、上部ホルダー５の上面５ａ全体を覆うようにして取り付けられている。
上部ホルダー５の上面５ａには嵌合溝５ｂが十文字状に形成されており、該嵌合溝５ｂに本発明の実施の形態である基板（回路基板）７が嵌合した状態で固定支持されるようになっている。そして、該基板７には複数の発光ダイオード（ＬＥＤ）８が取付けられており、電源(本発明の実施の形態では太陽電池１０)からの電力供給を受けて点灯した発光ダイオード８の光が発光体カバー６を透過して外部に放射されるようになっている。以下、これらの構成について詳述する。
【０００９】
下部ホルダー３の筒内側中央部には筒内を上下に間仕切りする仕切り面３ａが形成されており、該仕切り面３ａの下面３ｂには支柱２の上端縁が当接し、上面３ｃにはケーシング４の下端面が当接するようになっている。そしてこのように当接した状態で下部ホルダー３と支柱２、および、下部ホルダー３とケーシング４とをネジ止め等によって締結することによって各部材が互いに回り止め状および抜け止め状に固定されるようになっている。
【００１０】
前記ケーシング４は、有天有底筒形状の筐体であって、該ケーシング４は、筐体を縦軸方向に半割りにした一半部である前部ケーシング４ａと他半部である後部ケーシング４ｂとを、合わせ面同士を突合わせた状態でネジ止め固定することによって形成されている。また、前部ケーシング４ａと後部ケーシング４ｂの合わせ面４ｃには、ケーシングパッキン９が装着されるようになっており、ネジ止め固定された状態では合わせ面側の端縁がパッキン９を押圧することで合わせ面４ｃを水密状に封止するようになっている。
【００１１】
ケーシング４の外周面の上部と下部には、それぞれ外径方向に円環状に突出する下部大径部４ｄ及び上部大径部４ｅが形成されており、下部大径部４ｄは、ケーシング４の下端部が下部ホルダー３に内嵌した際に、該下部大径部４ｄの下端面が下部ホルダー３の上端縁に当接するようになっており、また、上部大径部４ｅは、ケーシング４の上端部が上部ホルダー５に内嵌した際に、該上部大径部４ｅの上端面が上部ホルダー５の下端縁に当接するようになっている。
【００１２】
前部ケーシング４ａの筒部外周面部には、軸方向に長い平面状に形成された太陽電池取付け部４ｆが設けられており、該太陽電池取付け部４ｆに平板状の太陽電池１０が取り付けられている。該太陽電池１０の表面には透明部材からなる太陽電池カバー体１１が取り付けられていて、太陽電池１０を積雪や砂塵飛来等の自然環境による損傷等から保護されるようになっている。ケーシング４の内部には、二重層コンデンサ（キャパシタ）１２が下方に、基板７への電気供給を制御する制御器１３が上方に取付けられて収容されており、前記太陽電池１０によって発電された電気は、キャパシタ１２に蓄電され、制御器１３の制御によって基板７に電気供給されて、発光ダイオード８の発光部８ａを点灯させるようになっている。
【００１３】
図５乃至図７に示すように、基板７は、上下左右の枠体である外枠７ａにより四周枠を構成し、これら外枠７ａ内に格子状の枠体である中枠７ｂが設けられているが、本実施の形態ではこのように形成される基板７の一対が平板状に一体化された複合基板７ｃとして形成されている。そして、このようにして設けられる外枠７ａと中枠７ｂとで囲繞される部分は矩形状の切欠き部１４として開設されており、これら切欠き部１４の全部または選択された一部（本実施例では選択された一部）には、発光部８ａが基板７の表裏を跨ぐようにして、つまり発光部８ａが基板７の表裏両側に突出した状態となるようにして、発光ダイオード８がそれぞれ設けられている。このとき、基板７に設けられる発光ダイオード８は、発光ダイオード８の体長方向（軸方向）が基板７の板面方向に沿った状態で種々異なる方向に向けて設けられている。
【００１４】
ここで使用される発光ダイオード８は、先端部に擂り鉢状（円錐状）の凹部８ｂが形成され、基端部に基板７に電気的に接続されるリード線８ｃが形成されたものであり、これによって該発光ダイオード８は指向性の少ない配向特性を有したものとなっている。そして、このような配向特性を有した発光ダイオード８を基板７の切欠き部１４に種々異なる方向に向けて複数取り付けることによって、基板７から多方向に向けて発光ダイオード８の光が放射されることになり、これによって３６０度の全方向から光を視認することが出来るようになっている。
【００１５】
基板７は、前記一体化された複合基板７ｃとした場合の外枠７ａ同士が一体化した部位に、嵌合孔（嵌合長孔）１５が上下方向一端縁から中央位置まで切欠かれて形成されており、このように形成された複合基板７ｃの２枚を、両嵌合孔１５が互いに対向するよう天地逆向きにした状態で嵌合孔１５同士を嵌め合わせて連結することで基板７の４枚（複合基板７ｃの２枚）が９０度の角度を存して放射状（平面視十文字状）に配設されるようになっている。そして、このように組み合わされた複合基板７ｃを上部ホルダー５の上面５ａに形成された十文字状の嵌合溝５ｂに嵌合することで、上部ホルダー５に基板７が取り付けられるようになっている。
【００１６】
そして、該取り付けられた基板７を覆蓋するようにして光透過性のある発光体カバー６が上部から組み付けられているが、該発光体カバー６は、内周面に半円弧状のローレット加工６ａ、シボ加工、粗面加工等の光拡散加工が施されており、これによって発光ダイオード８からの光が多方向に拡散されることになって視認性が高められた燈体１ａとなっている。
尚、上部ホルダー５の外端縁５ｃと発光体カバー６の下端縁６ａとのあいだにはリング状のパッキン１６が嵌め込まれており、これによって、上部ホルダー５の上面５ａと発光体カバー６の下端縁６ａとのあいだが水密状に保たれるようになっている。
【００１７】
叙述の如く構成された本発明の実施の形態において、基板７に開設される切り欠き部１４に配された発光ダイオード８の光は、基板７の表裏両側から視認されるとともに、該切欠き部１４からは、裏面側に隣接する基板７の切欠き部１４に配された発光ダイオード８の光も視認することができるため、一枚の基板７の表面側からは、該一枚の基板７に設けた発光ダイオード８の数以上の発光ダイオード８の光を視認できることとなり、この結果、従来のもののように基板の表裏それぞれの面に発光ダイオードを設けて構成された燈体よりも少ない数の発光ダイオードを設けたものであっても、数多くの発光ダイオードを設けたものに近しい燈体とすることが出来る。従って基板を放射状に複数枚設けて、３６０度の全方向からの視認ができる燈体でありながら、発光ダイオード８の取付け個数を従来よりも少なくすることができてコスト削減を図ることが出来ると共に、発光ダイオード８の取付け個数を減少させることで消費電力量も減らすことが出来るため、商用電源だけではなく太陽電池等を用いた小電力発電装置によっても使用電力を賄うことができることになり、商用電源が得られないような場所、例えば道路上や海上等において使用することも可能となり、設置場所を選ばない汎用性の高い燈体１ａとすることが出来る。
また、光の指向性が少ない配向特性の発光ダイオード８を使用することによって多方向に光が放射されることになり、３６０度の全方向から光を視認することが出来る視認性の良い燈体１ａとすることができる。
また、発光ダイオード８は、体長方向が基板７の板面に沿うようにして設けられることから、発光ダイオード８の光は隣接する基板７の切欠き部１４からも視認されることになり、前述の指向性の少ない配向特性の発光ダイオード８を使用することと相俟って全方向に光が放射される燈体１ａとすることができる。
また、基板７は外枠７ａと中枠７ｂとが組み合わせられたものに構成されているため、発光ダイオード８は、基板７全体に対して偏ることなく配設することが出来て、これを視認したときに光ムラの少ない一体感のある光が放射された燈体１ａとすることが出来る。
【００１８】
尚、本発明は前記実施の形態に限定されるものでないことは勿論であって、複合基板７ｃに配設される発光ダイオード８は、体長方向が基板７の板面に対して垂直方向を向くように設けても良く、さらには発光部８ａ全体が複合基板７ｃの基板表面若しくは裏面から基板板面の垂直方向に突出するように設けても良い。
【００１９】
また、図８に示す第二の実施の形態のように、発光部８ａが複合基板７ｃの表側から垂直方向に突出するように取付けられる発光ダイオード８と、発光部８ａが複合基板７ｃの裏側から垂直方向に突出するように取付けられる発光ダイオード８とを、一枚の複合基板７ｃに複数個配設したものに構成しても良い。
このように、基板７の板面から垂直方向に突出するようにして発光ダイオード８を配設することによって、基板の板端面側からも発光ダイオード８の光が視認され易い複合基板７ｃとすることが出来るため、仮令複合基板７ｃが厚みを有するものであったとしても、それによって発光部８ａの光の視認が妨げられることがない。
【００２０】
尚、第二の実施の形態では、第一の実施の形態で記載されたように体長方向が複合基板７ｃの板面に沿うようにして取付けられる発光ダイオード８も共に配設しており、このように基板の板面に対して垂直方向に光放射する発光ダイオード８に加えて、基板の板面方向に光放射する発光ダイオード８も配することによって、光が全方向に向けて放射される複合基板７ｃとすることが出来て、このような複合基板７ｃであった場合には、燈体１ａに設ける該複合基板７ｃを１枚だけとしても良いのであって、この場合には基板７を複数枚組み付ける必要がなくなるため、基板７の組み付け工程の簡略化を図ることが出来る。また、基板の必要枚数も削減することが出来るためコストの削減を図ることが出来る。
【００２１】
勿論、このように構成された複合基板７ｃであっても、図９に示す第三の実施の形態のように、外枠７ａの一体化部位に形成された嵌合孔１５同士を嵌合させることによって２枚の複合基板７ｃを十文字状に組み合わせたものとしても良く、このように組み合わせることで外部からの視認性が一層向上した燈体１ａとすることが出来る。
【００２２】
また、基板１７は、図１０に示す第四の実施の形態のように、外枠１７ａのみで構成し、該外枠１７ａで囲繞された部分を切欠き部１８とし、該切欠き部１８に発光ダイオード８を配して構成したものとしても良く、このように構成することで切欠き部１８を大きく開設することができる。このため発光ダイオード８の光が隣接する基板の切り欠き部１８からも良く視認することが出来て、少ない発光ダイオード８でも視認性の良い燈体１ａとすることが出来る。
【００２３】
また、図１１に示す第五の実施の形態のように、基板１９を、中央部に形成された上下方向に長い支持枠１９ａと該支持枠１９ａから左右方向両側に延出する枝枠１９ｂとで構成し、切欠き部２０を該支持枠１９ａと枝枠１９ｂとのあいだ、若しくは枝枠１９ｂ同士のあいだに形成される空間部として構成し、該切欠き部２０に発光ダイオード８を配してもよく、このように構成することで、外枠によって発光ダイオード８の光が遮られることが無くなって、一層視認性の良い燈体１ａとすることが出来る。
【００２４】
また、図１２に示す第六の実施の形態のように、基板２１を、上下方向に長い一辺の支持枠２１ａと、該支持枠２１ａから一方側（本実施の形態では図面視右方向側）にのみ延出する枝枠２１ｂとで形成し、切欠き部２２を、該支持枠２１ａと枝枠２１ｂ、或いは枝枠２１ｂ同士のあいだに形成される空間部として構成し、該切欠き部２２に発光ダイオード８を配してもよく、このように構成することで例えば円錐状の燈体やドーム型の燈体等の種々の燈体の形状に合わせて基板２１の形状を変更し易くすることが出来て、燈体の設計の自由度を高めることが出来る。
【００２５】
また、基板は、基板７を複合して複合基板７ｃとして構成したもののように４枚にしたものに限定されるものでないことは勿論であって、図１３に示す第七の実施の形態のように、３枚の基板７を１２０度の角度で放射状に設けても良く、また、図１４に示す第八の実施の形態のように、別途４枚の基板７を９０度の角度で放射状に設けたものでも良く、さらには５枚以上の基板７を用いたものであってもよいのであつて、要するに、基板７の切欠き部１４に配される発光ダイオード８の光が、少なくとも隣接する基板７の切欠き部１４から視認されるよう構成されていれば基板７の枚数は問わないものである。因みに、基板７の複数枚を上部ホルダー５の上面５ａに配設する構成としては、図１５に示す第九の実施の形態のように上部ホルダー５の上面中心部に基板の数だけ基板の端縁が挿通する挿通溝２３ａが形成された支軸２３を立設し、該挿通溝２３ａに基板７を挿通することによって支軸２３の外周面に沿って所定枚数の基板７が所定角度を存した放射状に配設されるように構成しても良く、また、図１６に示す第十の実施の形態のように、一枚の基板７に異色（例えば赤、緑）の発光ダイオード８Ｒ、８Ｇを設け、色別に点灯制御することで例えば工事現場や駐車場の出入り口等で用いられる簡易的な信号機としても使用することができる。
【００２６】
さらに、基板は、切欠き部が形成された板状体のものに限定されるものではなく、立体形状のもの、例えば多角筒状、円筒状としても良く、具体的には図１７（Ａ）、（Ｂ）に示す第十一、第十二の実施の形態のように、四角筒状基板２４、円筒状基板２５のような筒状体の基板に構成し、該四角筒状基板２４、円筒状基板２５に切欠き部１４が形成されたものに構成しても良い。この場合、これらの筒状体の基板を有天筒状体に形成して該筒天部にも切欠き部を設けて該切欠き部に発光ダイオードを配したものに構成しても良く、このように筒天部に発光ダイオードを設けた場合には上部からの視認性にも優れた燈体とすることが出来る。
【００２７】
また、基板を多角形や円形の中空状の錘体に形成しても実施することが出来るのであって、例えば図１８（Ａ）に示す第十三の実施の形態のように、例えば四角錘の形状をした四角錘体基板２６としても良く、該四角錘体基板２６に切欠き１４が形成されたものに構成しても良い。
さらには、基板を錘体の頭部が切断された截頭錘体に形成しても良く、図１８（Ｂ）に示す第十四の実施の形態のように、例えば截頭四角錘である截頭四角錘体基板２７としても良く、該截頭四角錘体基板２７に切欠き１４が形成されたもに構成しても良い。
このように基板を錘体とすることによって、基板に設けられる発光ダイオードの数が少ないものでありながら、燈体の設計の自由度が増すとともに、意匠性にも優れた燈体とすることが出来る。
【００２８】
以上述べたように、基板に切欠きが設けられ、該切欠きが設けられることによって基板に設けられる発光ダイオードの光が基板の表裏両面から視認されるように構成されている燈体であれば、基板の形状は特に問わないものであって、本発明の実施の形態によって限定されるものではない。
【００２９】
また、このように、少ない数の発光ダイオードが取り付けられたものでありながら全方向からの視認性が高い燈体が取り付けられた発光式標識装置にあっては、発光ダイオードの取付け個数を従来のものよりも削減したことによって製造コストの削減を図ることが出来るとともに、取付けられた発光ダイオード数が少ない分だけ消費電力も減少してランニングコストの削減も図ることも出来る。また、燈体の消費電力を削減させたことによって、商用電源だけではなく太陽電池等を用いた小電力発電装置によっても使用電力を賄うことができるため、商用電源が得られないような場所であっても設置が可能となり、汎用性の高い発光式標識装置とすることが出来る。
【産業上の利用可能性】
【００３０】
本発明は、発光ダイオード等の光源から光を放射することによって道路上や海上等において情報を表示したり注意を喚起したりする燈体および発光式標識装置に利用することができる。
【符号の説明】
【００３１】
１ａ  燈体
７    基板
８    発光ダイオード
１４  切欠き部
【図１】
2015015121.tif 000003
【図２】
2015015121.tif 000004
【図３】
2015015121.tif 000005
【図４】
2015015121.tif 000006
【図５】
2015015121.tif 000007
【図６】
2015015121.tif 000008
【図７】
2015015121.tif 000009
【図８】
2015015121.tif 000010
【図９】
2015015121.tif 000011
【図１０】
2015015121.tif 000012
【図１１】
2015015121.tif 000013
【図１２】
2015015121.tif 000014
【図１３】
2015015121.tif 000015
【図１４】
2015015121.tif 000016
【図１５】
2015015121.tif 000017
【図１７】
2015015121.tif 000018
【図１８】
2015015121.tif 000019
【図１６】
2015015121.tif 000020